(57)【要約】【課題】  猫や犬などの小動物が飼育者の意図に反してドアを開閉するのを、確実に防ぐことを可能とするドアストッパーを提供する。【解決手段】  ドア板と床との間に挿入することでドアを固定するくさび型部材２を備えたドアストッパー１において、くさび型部材２の鋭角部側に延長するように薄板状部材３を設け、ドア固定時に、ドア板と床の隙間から薄板状部材３がドアの反対側に出るようにする。これにより、ドアの反対側からもドアストッパー１の設置や取り外しが可能となり、飼育者がドアの外に出るときも、ドアの開閉を制限することができる。【選択図】  図１
0003209085.tif 000002
【実用新案登録請求の範囲】
【請求項１】
ドア板と床との間に挿入することでドアを固定するくさび型部材を備えたドアストッパーにおいて、
くさび型部材の鋭角部側に延長するように設けられた薄板状部材を備え、
ドア固定時に、ドア板と床の隙間から薄板状部材がドアの反対側に出るように成されたドアストッパー。
【請求項２】
薄板状部材の一部に穴があいていることを特徴とする請求項１記載のドアストッパー。
【考案の詳細な説明】
【技術分野】
【０００１】
本考案は、ドアの開閉を制限するためのドアストッパーに関するものである。
【背景技術】
【０００２】
猫や犬などの小動物を飼育する家庭において、動物が飼育者の意図に反して、室内の間仕切り用のドアを開けて飼育用の部屋から出て行ってしまうことが起こり得る。そこで、簡便にドアの開閉を制限するドアストッパーが必要とされている。
【０００３】
そのような小動物対策のドアストッパーとして、特許文献１では、レバーハンドルが設けられたドアの開閉を制限するドアハンドルストッパが考案されている。このドアハンドルストッパをレバーハンドルに取り付けることにより、猫や犬などの小動物によるレバーハンドルの操作を防止することができる。
【先行技術文献】
【特許文献】
【０００４】
【特許文献１】特開２０１４−０５８８６０号公報
【考案の概要】
【考案が解決しようとする課題】
【０００５】
特許文献１のドアハンドルストッパは、レバーハンドルが設けられたドアにしか対応しておらず、汎用性に欠けている。また、小動物が飛びついて、ドアハンドルストッパを外してしまうこともあり、十分な効果が得られないこともあった。
【０００６】
本考案は、上記の事情のもとで考え出されたものであって、レバーハンドルの有無にかかわらず、猫や犬などの小動物が飼育者の意図に反してドアを開閉するのを、確実に防ぐことを可能とするドアストッパーを提供することを目的とする。
【課題を解決するための手段】
【０００７】
本考案によるドアストッパーは、ドア板と床との間に挿入することでドアを固定するくさび型部材を備えたドアストッパーにおいて、くさび型部材の鋭角部側に延長するように設けられた薄板状部材を備え、ドア固定時に、ドア板と床の隙間から薄板状部材がドアの反対側に出るようにしたものである。
【０００８】
上記考案による作用は次の通りである。すなわち、本考案のドアストッパーは、従来のくさび型のドアストッパーと同様、くさび型部材によりドアの開閉を制限することができる。それと同時に、薄板状部材により、ドアの反対側からもドアストッパーの設置や取り外しが可能となっている。これにより、ドアを閉めるときに、ドアの外側からもドアストッパーを設置することができる。つまり、本考案のドアストッパーを用いれば、ドアの外側からも、くさび型部材でドアを固定することができるので、飼育者がドアの外に出るときにも、小動物によるドアの開閉を確実に防ぐことが出来る。
【０００９】
さらに上記ドアストッパーにおいて、薄板状部材の一部には穴をあけておくようにしてもよい。穴をあけておくことで、未使用時にドアストッパーをフック等にかけておくことができるので、より便利なものとなる。
【考案の効果】
【００１０】
上述したように本考案のドアストッパーは、レバーハンドルの無いドアにおいても、猫や犬などの小動物によるドアの開閉を、ごく簡便に制限することができる。
【００１１】
しかも、レバーハンドルに取り付けるドアハンドルストッパのように、小動物が飛びついて外してしまうようなことがなく、小動物によるドアの開閉を確実に防ぐことができる。
【００１２】
さらに、本考案は構成がとても簡単なため、製造しやすく、安価で提供できるというメリットもある。
【図面の簡単な説明】
【００１３】
【図１】本考案の実施形態の一例を示すドアストッパーの概略斜視図である。
【図２】ドアの一例を示す図である。
【図３】図１に示すドアストッパーの使用形態を示す図である。
【図４】図１に示すドアストッパーの使用形態を側面から示す断面図である。
【図５】図１に示すドアストッパーの他の使用形態を示す図である。
【考案を実施するための形態】
【００１４】
以下、本考案の実施の形態の一例を、図１〜図５に基づいて説明する。
【００１５】
図１において、１は本考案を適用したドアストッパーである。２はドア板と床との間に挿入することでドアを固定するくさび型部材であり、３はくさび型部材２の鋭角部側に延長するように設けられた薄板状部材である。
【００１６】
図２に示すドア板１０は、ドア枠１１に取り付けられて、矢印Ａの方向に開き、矢印Ｂの方向に閉じる。なお、本考案において、ドア板１０に取り付けられている取手１２は、どんな形状のものでも構わない。
【００１７】
このドア板１０に対して、図３および図４に示すように、ドア板１０と床１３の隙間にドアストッパー１を設置すると、ドア板１０が固定されて、ドアが開かなくなる。
【００１８】
このようにドア板１０を固定したときに、ドア板１０と床１３の隙間から薄板状部材３がドア板１０の反対側に出た状態になる。これにより、使用者はドアの外側に出た状態でも、薄板状部材３を手で持って操作することができ、くさび型部材２がドアの内側にくるように、ドアストッパー１を設置することができる。
【００１９】
また、ドアストッパー１を取り外すときも、薄板状部材３があるので、使用者はドアの外側から、くさび型部材２によるドア板１０の固定を解除することができる。
【００２０】
このように、薄板状部材３があることにより、使用者はドアの外側から、ドアストッパー１を設置したり、取り外したりすることができる。それに対して、猫や犬などの小動物は、薄板状部材３を手で持って動かすことは不可能である。したがって、このドアストッパー１により、小動物によるドアの開閉は確実に防止される。
【００２１】
なお、小動物が出入りできるように、少しだけドアを開けておきたい場合もある。その場合は、図５に示すように、ドア板１０を適度に開けた状態で、ドアストッパー１を設置すればよい。
【００２２】
ドアストッパー１の下面や上面は、従来のくさび型のドアストッパーと同様、ドアの開閉を制限できるように、滑りにくいように成されていることが好ましい。
【００２３】
また、くさび型部材２は、従来のくさび型のドアストッパーと同様、滑り止め効果を高めるために、その上面や下面に凹凸や多数の溝などを形成するようにしてもよい。
【００２４】
くさび型部材１と薄板状部材２は、別々に作成して結合してもよいし、樹脂、ゴム、プラスチックなどを用いて一体成型するようにしてもよい。
【００２５】
薄板状部材３は、図４に示すように、ドア板１０と床１３の隙間に通せるように、充分に薄い必要がある。同時に、ドアストッパー１の設置や取り外しに対応できるだけの充分な強度も必要である。したがって、薄板状部材３の厚さは、一般の家庭用のドアでの利用を想定した場合、０．５ｍｍから３．５ｍｍ程度とするのが適当である。
【００２６】
くさび型部材２の部分については、従来のくさび型のドアストッパーと基本的に同様であるが、一般の家庭用のドアの場合、図４に示すように、ドア板１０と床１３との隙間が狭いので、ドア板１０と床１３との間に差し入れる鋭角部の角度をやや鋭利にした方が好ましく、その角度は５度〜２０度程度とするのが適当である。
【００２７】
薄板状部材３は、その一部に穴をあけておくようにしてもよい。穴をあけておくことで、未使用時にドアストッパーをフック等にかけておくことができるので、より便利なものとなる。
【符号の説明】
【００２８】
１  ドアストッパー
２  くさび型部材
３  薄板状部材
１０  ドア板
１１  ドア枠
１２  取手
１３  床
Ａ  ドアの開く方向
Ｂ  ドアの閉じる方向
【図１】
0003209085.tif 000003
【図２】
0003209085.tif 000004
【図３】
0003209085.tif 000005
【図４】
0003209085.tif 000006
【図５】
0003209085.tif 000007